(57)【特許請求の範囲】
【請求項１】
情報を記憶する情報記憶手段と、タイマーボタンと、該タイマーボタン操作後所定時間の計時を行うタイマーと、光を検出する光検出手段と、該光検出手段の光検出に応じて前記情報記憶手段に記憶されている情報を消去するように制御する制御手段と、を有し、
前記制御手段は、前記タイマーが所定時間の計時を行っている間は、前記光検出手段が光を検出したと判定しても、前記情報記憶手段に記憶されている情報を消去しないように制御することを特徴とする電子機器。
【発明の詳細な説明】
【０００１】
【発明の属する技術分野】
本発明は電子機器に関する。
【０００２】
【従来の技術】
一般的な携帯電話装置や電子手帳等の電子機器には、機器を動作させる為の基本プログラムや、毎日のスケジュール等からなる個人情報を記憶可能な記憶素子が設けられている。又、このような電子機器の多くには、他人が電子機器の筐体を開封し、記憶素子に記憶されている内容を使用者に無断で読み取ることを防止する為に様々な技術が施されている。例えば、ネジ頭部に星型形状の凹凸面を有し通常のドライバーでは取り外しが不可能な特殊ネジを使用し筐体を封印する技術や、記憶素子をエポキシ樹脂で覆うことにより前記記憶素子の固定や保護を施す等の技術がある（例えば、特開平８−１８４６０８号公報参照）。
【０００３】
【発明が解決しようとする課題】
前記特殊ネジで筐体を封印する方法では、筐体のみを破壊することにより前記記憶素子の情報を盗み出すことが可能である為、完全に記憶素子の情報を守ることは難しい。又、前述の記憶素子をエポキシ樹脂で覆う方法では、前記記憶素子の温度が上昇し、前記記憶素子の性能を低下させる可能性がある。
【０００４】
【課題を解決するための手段】
本発明はこのような問題点を解決する為のものであり、情報を記憶する情報記憶手段と、タイマーボタンと、該タイマーボタン操作後所定時間の計時を行うタイマーと、光を検出する光検出手段と、該光検出手段の光検出に応じて前記情報記憶手段に記憶されている情報を消去するように制御する制御手段と、を有し、
前記制御手段は、前記タイマーが所定時間の計時を行っている間は、前記光検出手段が光を検出したと判定しても、前記情報記憶手段に記憶されている情報を消去しないように制御することを特徴とする。
【０００５】
【発明の実施の形態】
図１は本発明を適用してなる携帯電話装置の第１の実施例の回路構成を示すブロック図である。
【０００６】
本実施例装置は、メイン回路部１と、発電部２と、これらを接続するインターフェイス３とからなる。
【０００７】
メイン回路部１のＣＰＵ（Ｃｅｎｔｒａｌ  Ｐｒｏｃｅｓｓｉｎｇ  Ｕｎｉｔ）１００は、後述する制御プログラムに基づいて以下で説明する各回路の制御を司る。メモリ１０１は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）からなり、個々の電話装置に対応した認証ＩＤ（Ｉｄｅｎｔｉｆｉｃａｔｉｏｎ）や制御プログラム等の情報が格納されている。テンキー１０２は、電話番号や後述する暗証番号等の入力に使用する。電源回路１０３は、逆流防止用のダイオードや、バッテリー１０４からの電圧を電話装置を動作させる為の電圧に変換するレギュレータ等を有している。
【０００８】
発電部２は、光発電素子２００、スイッチ２０１、トリガボタン２０２を有する。前記光発電素子２００は、例えば太陽電池からなり、光を受けると電力信号を発生する。スイッチ２０１は、例えばトランジスタからなるスイッチング回路である。トリガボタン２０２は、前記スイッチ２０１を閉となすように指示する為のボタンである。
【０００９】
電波の送受信を行う為の送受信回路等の電話装置の基本回路は本実施例と直接関係しない為、図示しない。
【００１０】
図１のブロック図に示す各回路を有した基板は通常密封された光の届かない筐体内に設けられている。又、前記テンキー１０２及びトリガボタン２０２は、筐体の外面に設けられている。
【００１１】
次に、本実施例の動作を以下に説明する。
【００１２】
トリガボタン２０２は、インターフェイス３に接続されている。前記ボタンが押下されるとその押下信号がインターフェイス３を介してＣＰＵ１００に送出される。
【００１３】
ＣＰＵ１００は、インターフェイス３、メモリ１０１、テンキー１０２、電源回路１０３に接続され、前記信号の検知に応じて、インターフェイス３を介してスイッチ２０１へ該スイッチ２０１を閉状態にさせる為の制御信号を送出する。
【００１４】
スイッチ２０１は、一端がインターフェイス３に、他端が光発電素子２００に接続される。又、スイッチ２０１は、前記制御信号に応じて閉状態となる。尚、前記スイッチ２０１は、一度閉状態になると、後述する暗証番号が入力されない限りその状態を維持する。
【００１５】
光発電素子２００は、上述したように光を受光すると発電を行い、電力信号を出力する。この電力信号は、前記スイッチ２０１が閉状態の場合には、前記スイッチ２０１及びインターフェイス３を介してＣＰＵ１００へ送出される。
【００１６】
前記ＣＰＵ１００は前記電力信号を受信すると、メモリ１０１へ該メモリ１０１に記憶されている内容を消去するよう制御信号を送出する。
【００１７】
メモリ１０１は、前記制御信号を受信すると記憶されている情報の消去を行う。
【００１８】
上述した如く、本実施例では、筐体が開封され、前記光発電素子２００が光を受光すると、メモリ１０１に記憶されている情報が消去される。
【００１９】
しかし、前記電話装置の修理を行う為に電話装置の筐体を開封せざるを得ない場合には、前記光発電素子２００が光を検出すると、使用者の意に反してメモリ１０１に記憶されている内容が消去される。
【００２０】
この様な状況に対処すべく、本実施例の装置では、テンキー１０２よりメモリ１０１に予め記憶されている暗証番号と同一の暗証番号を入力することにより、ＣＰＵ１００がスイッチ２０１を開状態となるように制御する。具体的には、ＣＰＵ１００は、テンキー１０２から入力された暗証番号を検出すると、この入力暗証番号をメモリ１０１に記憶されている暗証番号と比較し、一致した場合には、スイッチ２０１を開状態とする為に前記スイッチ２０１に制御信号を送出する。
【００２１】
このように、本実施例の装置では、暗証番号を入力することにより筐体開封時でもメモリ１０１の記憶内容の消去を禁止することができる。
【００２２】
尚、上述の携帯電話装置の各回路は、バッテリー１０４から供給される電力により駆動される。従って、バッテリー１０４の出力電圧が低下すると、各回路は動作できなくなる。このような状態で筐体が開封されると、光発電素子２００から電力信号が出力されても、ＣＰＵ１００は、メモリ１０１の内容を消去できない。そこで、バッテリー１０４の出力電圧が低下している場合には、前記光発電素子２００からの出力を各回路の駆動電力として利用すればよい。これにより、バッテリ１０４の出力電圧が低下した場合でも、筐体開封時には、ＣＰＵ１００等は通常の動作を行い、メモリ１０１の内容を消去できる。
【００２３】
図２は本発明を適用してなる携帯電話装置の第２の実施例の回路構成を示すブロック図である。
【００２４】
第１実施例との相違点はトリガボタン２０２に換えて、タイマー２０３とタイマーボタン２０４を付加したことにある。
【００２５】
前記タイマーボタン２０４は、前記タイマー２０３の計時開始制御を行う。
【００２６】
前記タイマー２０３は、前記タイマーボタン２０４の押下に応答して所定時間の計時を開始する。
【００２７】
図２のブロック図に示す各回路を有した基板は、第１実施例同様、通常密封された光の届かない筐体内に設けられている。又、テンキー１０２及び前記タイマーボタン２０４は筐体外面に設けられている。
【００２８】
尚、図１に示した第１実施例と同一の個所には同一符号を付して説明を省略する。
【００２９】
次に、第２実施例の電話装置の動作を以下に説明する。
【００３０】
タイマーボタン２０４の押下により、タイマー２０３が、所定時間の計時を開始し、その後、前記タイマー２０３が所定時間の計時を終了すると、前記タイマー２０３からインターフェイス３を介してＣＰＵ１００へ信号が送出される。ＣＰＵ１００は、前記タイマー２０３からの信号を受信すると、インターフェイス３を介して前記スイッチ２０１に制御信号を送出し、前記スイッチ２０１を閉状態となす。
【００３１】
尚、前記スイッチ２０１は、第１実施例と同様に一度閉状態になると、暗証番号が入力されない限り閉状態を維持する。
【００３２】
第２実施例の電話装置は、第１実施例の電話装置と同様に、光検出素子２００が光を検出すると、前記素子２００は電力信号を出力する。この時、スイッチ２０１が閉状態であれば、前記電力信号はインターフェイスを介してＣＰＵ１００へ供給されるので、ＣＰＵ１００は前記電力信号に基づいて、メモリ１０１の記憶内容を消去する。
【００３３】
一方、前記スイッチ２０１は、タイマーボタン２０４押下後、所定時間（タイマー２０３の計時時間）の間は開状態が保持され、前記所定時間が経過した時点で閉状態となる。
【００３４】
従って、上記タイマー２０３の計時時間を、電話装置の組立て終了後から出荷までの期間（例えば２、３日）或いは、店頭に並べられるまでの期間（例えば数週間）に設定しておくことにより、前記期間内に装置に不具合が発見された場合には、一々暗証番号を入力せずとも筐体を開封し、修理することができる。
【００３５】
尚、本実施例では本発明を電話装置に適用したが、パーソナルコンピュータや電子手帳等の電子機器に本発明を適用することが可能であることは言うまでもない。又、本実施例では光発電素子として太陽電池を使用したが、例えば、赤外線を検出可能な光検出素子等を用いても良い。
【００３６】
【発明の効果】
上述のように、本発明の電子機器は、筐体が開封されると光検出素子が光を検出し、該検出に応じてプログラムメモリ内に記憶されている情報を消去する機能を有しているので、筐体を開封してメモリ内の情報が取り出されることを防止できるだけでなく、タイマーの計時時間を、電話装置の組み立て終了から出荷までの期間或いは、店頭に並べられるまでの期間に設定しておくことにより、前記期間内に装置に不具合が発見された場合には、一々暗証番号を入力せずとも筐体を開封し、修理することができる。
【図面の簡単な説明】
【図１】本発明を適用して成る第１実施例の電話装置のブロック図である。
【図２】本発明を適用して成る第２実施例の電話装置のブロック図である。
【符号の説明】
１            メイン回路部
２            発電部
３            インターフェイス
１００    ＣＰＵ
１０１    メモリ
１０２    テンキー
１０３    電源回路
１０４    バッテリー
２００    光発電素子
２０１    スイッチ
２０２    トリガボタン
２０３    タイマー
２０４    タイマーボタン
【図１】
0003615395.tif 000002
【図２】
0003615395.tif 000003